(57)【要約】【課題】支持体に載置される積層体の裏面に粘着剤を塗布せずに、如何なる角度に傾斜させても脱落させることなく着脱可能に固定し、所望により簡単に剥離し、反復継続使用する。【解決手段】厚さ１．０ｍｍの厚紙シート２の裏面に、厚さ０．５ｍｍのポリ塩化ビニル製の連続発泡体３を接着し、所望の形状に打ち抜き、基盤４の表面に厚さ０．１ｍｍのポリ塩化ビニル製フィルム６を接着した支持体に指で押圧して固定する。【選択図】図１
2004141580.tif 000002
【特許請求の範囲】
【請求項１】
支持体と、支持体に着脱可能に固定される積層体との組合せから成る意匠構成体であって、
（イ）前記支持体を、任意の材料から成る基盤と、基盤の表面に接着した熱可塑性合成樹脂製フィルムから構成したことと、
（ロ）前記積層体を、任意の材料から成る表層材と、表層材の裏面に接着した熱可塑性合成樹脂製の連続発泡体から構成したこと、を特徴とする支持体と、支持体に着脱可能に固定される積層体との組合せから成る意匠構成体。
【請求項２】
前記積層体が、ジグソーパズルのピースであって、前記支持体が、ジグソーパズルのピースを載置、固定するためのフレームである請求項１に記載の意匠構成体。
【請求項３】
前記積層体が、シール又はワッペンであって、前記支持体が、シール又はワッペンを載置、固定するためのシートである請求項１に記載の意匠構成体。
【発明の詳細な説明】
【０００１】
【発明の属する技術分野】
本発明は、支持体と、支持体に着脱可能に固定される積層体との組合せから成る意匠構成体に関し、より詳細には、粘着剤を使用しない着脱可能な積層体と、積層体貼着用支持体との組合せから成る意匠構成体に関する。本発明は、ジグソーパズル或いはオセロ等ゲーム類、シール・ワッペン類、掲示・表示具、玩具等に利用される。
【０００２】
【従来の技術】
本発明で使用する用語「意匠構成体」は、任意の文字、形状、図柄・模様若しくは色彩又はこれらを組合せたものから成り、具体的な意味或いは物を表示或いは掲示し、又は抽象的な図柄・模様を表現して美感を起こさせるもの、と定義する。
【０００３】
意匠構成体の例としては、一つ一つは意味のない複数枚の小片を、支持体上に載置して、完成後は、全体として特定の図柄・模様を表現するジグソーパズルがある。以下、ジグソーパズルを例に従来技術を説明する。
【０００４】
ジグソーパズルは、厚紙で所定の形状に成形された周辺に凹凸を有するパズルピースを、支持体（フレーム）上に組合わせて、各々凹凸を嵌合させて、全体として特定の図柄・模様を表現するものである。
【０００５】
ジグソーパズルの遊び方としては、目的とする特定の図柄・模様を完成したら直ちに分解してバラバラにする、いわゆる作成過程を楽しむ場合と、特定の図柄・模様を完成したら、表面全体に接着剤を塗布して、パズルピース相互間を接着し、且つ支持体に固定して、装飾額として、作品を鑑賞して楽しむ場合がある。
【０００６】
従来のジグソーパズルのパズルピースは、厚紙を凹凸のある所定の形状に打抜いただけで、凹凸を利用して支持体上で互いに嵌合させて、一時的に係止状態にしてあるだけである。そのため、作成途中でも簡単な衝撃により、たとえば、くしゃみをしただけでもパズルピースがずれたり、バラバラになることがある。また、接着剤で固定しないで、立てかけたり、壁に掛けたりすると、やはりパズルピースが支持体から脱落することがある。
【０００７】
また、特定の図柄・模様を完成後、一旦接着剤で固定してしまうと、再度ジグソーパズルとして遊ぶことができなくなるという欠点がある。
【０００８】
文字或いは図柄・模様を表現した複数枚の小片を、支持体上に載置して、特定の意味や意匠を表現したり、美感を起こさせるものとしては、ジグソーパズルの他に、シール、ワッペン類がある。
【０００９】
シール、ワッペン類は、主として、紙、合成樹脂製シートの裏面に剥離可能な粘着剤を塗布したもの、或いはフェライトを混入した樹脂を塗布したものがある。前者の場合は、粘着剤により支持体が汚染されることがあり、後者の場合は、支持体が鉄でなければならない。
【００１０】
上述した理由により、ジグソーパズル、シール、ワッペン類等のように、支持体に着脱可能に固定される小片において、小片の裏面に粘着剤を塗布せずに、また、支持体の材料に制約を受けずに、一旦支持体に載置した小片を、如何なる角度に傾斜させても、小片を支持体から脱落させることなく固定でき、且つ、所望により簡単に剥離でき、反復して使用するようにすることが望まれていた。
【００１１】
【発明が解決しようとする課題】
従って、発明が解決しようとする主たる課題は、支持体に着脱可能に固定される小片において、小片の裏面に粘着剤を塗布せずに、また、支持体の材料に制約を受けずに、一旦支持体に載置した小片を、如何なる角度に傾斜させても、小片を支持体から脱落させることなく固定でき、且つ、所望により簡単に剥離でき、反復継続して使用できるようにすることである。
【００１２】
発明が解決しようとする特定的な課題は、パズルピースと、パズルピースを載置する支持体、いわゆるフレームとの組合せから成るジグソーパズルにおいて、パズルピースの裏面に粘着剤を塗布せずに、また、支持体の材料に制約を受けずに、一旦支持体に載置したパズルピースを、如何なる角度に傾斜させても、支持体から脱落させることなく固定でき、且つ、所望により簡単に剥離でき、反復継続して使用できるようにすることである。
【００１３】
発明が解決しようとする別の特定的な課題は、支持体に一時的に固定して、何らかの表示、図柄・模様、或いは美感を起こさせるシール、ワッペン類において、シール、ワッペン類の裏面に粘着剤を塗布せずに、また、支持体の材料に制約を受けずに、一旦支持体に載置したシール、ワッペン類を、如何なる角度に傾斜させても、支持体から脱落させることなく固定でき、且つ、所望により簡単に剥離でき、反復継続して使用できるようにすることである。
【００１４】
発明が解決しようとする別の課題及び利点は以下逐次明らかにされる。
【００１５】
【課題を解決するための手段】
本発明者は、たとえばジグソーパズルピースのような小片の裏面に粘着剤を塗布せずに、また、フェライトを使用せずに、支持体に着脱可能に固定させる方法として、ジグソーパズルピースを指で押す程度の圧力で、ジグソーパズルピースと支持体との界面を真空状態にすることによって、ジグソーパズルピースと支持体を密着させることを検討した。
【００１６】
ところで、ジグソーパズルピースは、多種多様な形状に成形された小片であって、形状を形成する凹凸部分を相互に嵌合して固定するようになっている。ジグソーパズルピースの凹凸部分を相互に嵌合させるためには、ジグソーパズルピース自体にある程度伸縮性がなければならない。
【００１７】
そのために、ジグソーパズルピースは剛体ではなく、比較的柔軟性がある材料、たとえば、単層或いは多層構造の厚紙で製造されている。厚紙の場合、指で押して圧力を負荷しても、ジグソーパズルピースと支持体との界面を真空状態にすることは不可能である。従って、ジグソーパズルピースを指で押して圧力を負荷して、ジグソーパズルピースと支持体との界面を真空状態にするためには、ジグソーパズルピース自体の裏面に、空気を包摂した材料を積層させ、ジグソーパズルピースを指で押した際に、その材料が包摂している空気を排除させることにより、ジグソーパズルピースと支持体との界面を真空状態にすることができると考えた。
【００１８】
従って、課題を解決するための手段は、支持体と、支持体に着脱可能に固定される積層体との組合せから成る意匠構成体において、前記支持体を、任意の材料から成る基盤と、基盤の表面に接着した熱可塑性合成樹脂製フィルムから構成し、且つ前記積層体を、任意の材料から成る表層材と、表層材の裏面に接着した熱可塑性合成樹脂製の連続発泡体から構成することである。
【００１９】
本発明において、支持体に着脱可能に固定される積層体を形成する表層材としては、主としてジグソーパズルに使用する厚紙、ワッペン、シール類に使用する各種熱可塑性合成樹脂製フィルム或いはシート、オセロゲーム等のチップに使用する各種熱可塑性合成樹脂製成形体、嵌め込み積み木に使用する木製成形品等紙、熱可塑性合成樹脂、木、或いは金属、若しくはこれらの組合せから任意に選択される。
【００２０】
本発明において、表層材の裏面に接着する発泡体層は連続発泡である。この理由は、独立気泡体の場合、気泡群がそれぞれ隔壁をもって隔てられていて独立セルを作っているので、気泡体を指で圧迫しても空気を排気することができず、従って、気泡体と支持体との界面を真空状態にすることができないからである。
【００２１】
一方、連続気泡体の場合、気泡群が連通していて、気泡体を指で圧迫した場合、空気が気泡体のあらゆる個所から排気され、従って、気泡体と支持体との界面を真空状態にすることができるからである。
【００２２】
ただし、連続気泡、独立気泡の区別は定量的に厳密なものではなく、連続気泡体を製造しても、独立気泡が交じりあってできることがあり、逆に独立気泡体を製造しても、連続気泡が交じりあってできることがあると理解されるべきである。
【００２３】
本発明において、表層材と、表層材の裏面に接着した連続発泡体層から成る積層体で形成した小片を貼着させる支持体は、基盤と、基盤の表面に熱可塑性合成樹脂製フィルムを接着させて製造される。
【００２４】
本発明における支持体を構成する基盤の材料は、表面が平滑に加工されていれば、特段に限定されない。その形状も、本発明の用途に応じて適宜設計される。たとえば、ジグソーパズルの場合は、基盤の周辺の高さを、表層材と連続発泡体を積層させた積層体の全厚と同じ高さに立ち上げて、相互に嵌合させたジグソーパズルの全ピースが、周辺で移動しないように、いわゆるフレーム構造にすることが必要である。
【００２５】
支持体を構成する基盤は、極力平滑に表面加工しても、ミクロで観察した場合、凹凸がある。従って、そのままでは、表層材と連続発泡体を積層させた積層体を載置して、押圧して、連続発泡体が包摂する空気を排気しても、積層体と基盤との界面を真空状態にすることができない。積層体と基盤との界面を真空状態にするためには、表面を平滑加工した基盤の表面に、さらに、熱可塑性合成樹脂製フィルム或いはシートを接着して、表面を一層平滑にすることが必要である。
【００２６】
本発明において、基盤の表面に接着するフィルム或いはシートの材料である熱可塑性合成樹脂は特段に限定されない。ポリ塩化ビニル、ポリエチレン、ポリプロピレン、ポリ塩化ビニリデン、酢酸ビニル等任意の熱可塑性合成樹脂が選択される。
【００２７】
本発明において、基盤の表面に接着するフィルム或いはシートは、基盤の平滑度を改良するためのものであるので、その厚さは、特段に限定されない。即ち、その厚さは０．１〜０．５ｍｍの範囲で十分である。０．５ｍｍ以上にしても、目的とする効果が向上する訳ではなく、コストを上昇させるだけである。逆に、０．１ｍｍ以下の場合、基盤の表面の平滑度の改良が不十分となる。
【００２８】
本発明を実施する場合、表層材と、表層材の裏面に接着した連続発泡体層から成る積層体は、任意の成形方法で一体化した後、用途に応じた所望の文字、形状、図柄、模様に裁断或いは打ち抜き加工される。
【００２９】
以下、実施例により本発明を具体的に説明する。
［実施例］
図１は、本発明によって製造したジグソーパズルの１部断面斜視図図である。１はジグソーパズル、２は厚さ１．０ｍｍの厚紙製ジグソーパズルピースで、それぞれ嵌合させて固定するための嵌合突起と嵌合溝が設けてある。ジグソーパズルピース２の裏面には、厚さ０．５ｍｍのポリ塩化ビニルの連続発泡体層３が接着され一体化されている。４は、ジグソーパズルピース２を載置し、固定するための支持体の基盤で、その周囲は、厚紙製ジグソーパズルピース２と、その裏面に接着したポリ塩化ビニルの連続発泡体層３の総厚２．０ｍｍを納めるだけの垂直に立上げた立上げ片５が形成されている。支持体の基盤４の表面には、厚さ００．１ｍｍのポリ塩化ビニルのフイルム６が接着してある。
【００３０】
実施例で製造したジグソーパズルは、予めジグソーパズルピース用の材料の裏面に、ポリ塩化ビニルの連続発泡体層を接着して一体化してから、所定の図柄・模様のジグソーパズルピースに打ち抜き加工して製造したものである。
【００３１】
実施例で製造したジグソーパズルピース２の裏面には、ポリ塩化ビニルの連続発泡体層３が接着され一体化されており、且つ、ジグソーパズルピース２を載置し、固定するための支持体の基盤４の表面にはポリ塩化ビニルのフイルム６が接着してあるので、ジグソーパズルピース２を指で押圧すると、ポリ塩化ビニルの連続発泡体層３が包摂している空気が排気され、ポリ塩化ビニルのフイルム６との界面が真空状態になり、両者が強力に接合され、固定され、裏返しても、ジグソーパズルピース２が、脱落しない。
【００３２】
【発明の効果】
請求項１の発明により、支持体と、支持体に着脱可能に固定される積層体との組合せから成る意匠構成体において、小片の裏面に粘着剤を塗布せずに、また、支持体の材料に制約を受けずに、一旦支持体に載置した積層体を、如何なる角度に傾斜させても、支持体から脱落させることなく固定でき、且つ、所望により簡単に剥離でき、反復継続して使用できる。
【００５６】
請求項２の発明により、パズルピースと、パズルピースを載置する支持体、いわゆるフレームとの組合せから成るジグソーパズルにおいて、パズルピースの裏面に粘着剤を塗布せずに、また、支持体の材料に制約を受けずに、一旦支持体に載置したパズルピースを、如何なる角度に傾斜させても、支持体から脱落させることなく固定でき、且つ、所望により簡単に剥離でき、反復継続して使用できる。
【００５７】
請求項３の発明により、支持体に一時的に固定して、何らかの表示、図柄・模様、或いは美感を起こさせるシール、ワッペン類において、シール、ワッペン類の裏面に粘着剤を塗布せずに、また、支持体の材料に制約を受けずに、一旦支持体に載置したシール、ワッペン類を、如何なる角度に傾斜させても、支持体から脱落させることなく固定でき、且つ、所望により簡単に剥離でき、反復継続して使用できる。
【図面の簡単な説明】
【図１】実施例の１部断面斜視図
【符号の説明】
１　ジグソーパズル
２　ジグソーパズルピース
３　熱可塑性合成樹脂製連続発泡体
４　支持体基盤
５　支持体基盤立上げ片
６　熱可塑性合成樹脂製フィルム
【図１】
2004141580.tif 000003